(57)【要約】【課題】施工性を向上し、光ファイバ心線の破損を防止し、また、光ファイバコードの整理が容易にできてメンテナンスの作業性が良いスプライスユニットを提供する。【解決手段】スプライスユニットは、矩形状の底板１ａの前後左右端縁に、前面板１ｂと、背面板１ｃと、左右側面板１ｄを立設してトレイ状にユニット本体１を構成し、底板１ａには光ファイバコード３同士の接続に使用するコネクタ４を設けたコネクタ支持板２を前面板１ｂと平行に立設し、コネクタ支持板２と左右側面板１ｄと背面板１ｃとで囲まれた余長収納スペース１２に光ファイバコード３の余長を収納可能にし、ユニット本体１の背面板１ｃの外面に融着トレイ１０を取り付けて光ファイバ心線８の融着部と余長とを収納可能にする。【選択図】        図１
2004198471.tif 000002
【特許請求の範囲】
【請求項１】
ラックにマウントして取り付けられ、光ファイバの接続部と余長とを収納するために底板の前後左右端縁に前面板と、背面板と、左右側面板を立設してトレイ状にユニット本体を構成したスプライスユニットにおいて、前記ユニット本体の背面板の外面に光ファイバ心線の融着部と余長とを収納するための融着トレイを取り付けたことを特徴とするスプライスユニット。
【請求項２】
ラックにマウントして取り付けられ、光ファイバの接続部と余長とを収納するために底板の前後左右端縁に前面板と、背面板と、左右側面板を立設してトレイ状にユニット本体を構成したスプライスユニットにおいて、前記ユニット本体の前面板の上端を内側方向に折曲形成し、該折曲部に複数の光ファイバコードを集束状態に保持するためのコード保持部を形成したことを特徴とするスプライスユニット。
【発明の詳細な説明】
【０００１】
【発明の属する技術分野】
本発明は、ラックにマウントして取り付けられ、光ファイバの接続部と余長を収納するためのスプライスユニットに関する。
【０００２】
【従来の技術】
従来のスプライスユニットは、底板の端縁に、前面板と、左右側面板を立設してトレイ状にユニット本体が形成され、底板上には前面板から間隔をおいてコネクタ支持板が前面板と平行に立設され、コネクタ支持板には光ファイバコード同士の接続に使用するコネクタが多数設けられている。コネクタ支持板の後ろ側スペースには光ファイバ心線の融着部と余長とを収納するための融着トレイと、光ファイバコードの余長を収納するための余長ホルダが配設されている。ユニット本体の背面は開口され、この開口から光ケーブルが入線してテンションメンバクランプとケーブルクランプによって固定され、光ケーブルの端部から延びた多数の光ファイバ心線は、コネクタの背面側接続口に接続された光ファイバコードの光ファイバ心線と融着して融着部と余長を融着トレイ内に収納し、光ファイバコードの余長は余長ホルダに保持していた（例えば、非特許文献１参照。）。
【０００３】
また、融着トレイを設けず、光ファイバ心線の融着部と、光ファイバ心線の余長と、光ファイバコードの余長とを同一スペースに収納するスプライスユニットもある（例えば、非特許文献１、特許文献１参照。）。
【０００４】
また、コネクタの前面側接続口に接続された光ファイバコードは集束してユニット本体の左右側面板の開口から出線していた（例えば、非特許文献１、特許文献１参照。）。
【０００５】
【非特許文献１】
“光通信用  スプライスＳＥＲＩＥＳ  ボックス／ユニット”、河村電器産業株式会社、２００２年１１月、ｐ．３−１０
【特許文献１】
特開２００２−２９６４２７号公報（第４頁、第４図、第９図）
【０００６】
【発明が解決しようとする課題】
このため、非特許文献１のスプライスユニットは光ケーブルの端部から融着トレイまで露出した光ファイバ心線と光ファイバコードの余長とが同一スペースに収納されるし、特許文献１のスプライスユニットにおいては光ファイバ心線の余長と光ファイバコードの余長とが１つの余長ホルダに収納されるため、施工がやりにくいし、メンテナンスの際に光ファイバ心線に触れる機会が多くなるので光ファイバ心線を破損させる虞があった。
【０００７】
また、非特許文献１と特許文献１の両方のスプライスユニットとも、コネクタの前面側接続口に接続した光ファイバコードは大きく束ねられ保持されて整理がされていないのでメンテナンスの際に作業性が良くなかった。
【０００８】
そこで上記問題点に鑑み、本発明の目的は、施工性を向上し、光ファイバ心線の破損を防止し、また、光ファイバコードの整理が容易にできてメンテナンスの作業性が良いスプライスユニットを提供することである。
【０００９】
【課題を解決するための手段】
上記目的を達成するために、請求項１に記載の発明によれば、ラックにマウントして取り付けられ、光ファイバの接続部と余長とを収納するために底板の前後左右端縁に前面板と、背面板と、左右側面板を立設してトレイ状にユニット本体を構成したスプライスユニットにおいて、ユニット本体の背面板の外面に光ファイバ心線の融着部と余長とを収納するための融着トレイを取り付けたことを特徴とする。
【００１０】
請求項２に記載の発明によれば、ラックにマウントして取り付けられ、光ファイバの接続部と余長とを収納するために底板の前後左右端縁に前面板と、背面板と、左右側面板を立設してトレイ状にユニット本体を構成したスプライスユニットにおいて、ユニット本体の前面板の上端を内側方向に折曲形成し、折曲部に複数の光ファイバコードを集束状態に保持するためのコード保持部を形成したことを特徴とする。
【００１１】
【発明の実施の形態】
請求項１に記載の発明によれば、ラックにマウントして取り付けられ、光ファイバの接続部と余長とを収納するために底板の前後左右端縁に前面板と、背面板と、左右側面板を立設してトレイ状にユニット本体を構成したスプライスユニットにおいて、ユニット本体の背面板の外面に光ファイバ心線の融着部と余長とを収納するための融着トレイを取り付けたことにより、光ファイバ心線の収納スペースと光ファイバコードの収納スペースを分離し、各々独立して施工できるようにして施工性を向上すると共に、光ファイバ心線の破損を防止することができる。
【００１２】
請求項２に記載の発明によれば、ラックにマウントして取り付けられ、光ファイバの接続部と余長とを収納するために底板の前後左右端縁に前面板と、背面板と、左右側面板を立設してトレイ状にユニット本体を構成したスプライスユニットにおいて、ユニット本体の前面板の上端を内側方向に折曲形成し、折曲部に複数の光ファイバコードを集束状態に保持するためのコード保持部を形成したことにより、光ファイバコードの整理が容易にできてメンテナンスの作業性が良くなる。
【００１３】
【実施例】
本発明に係るスプライスユニットの実施例を図１〜図４の添付図面に基づいて説明する。
【００１４】
スプライスユニットは矩形状の底板１ａの前後左右端縁に前面板１ｂと、背面板１ｃと、左右側面板１ｄとを立設してトレイ状にユニット本体１を構成し、左右側面板１ｄにはマウント部１ｅが垂設され、各種機器を収納するためのラック（図示せず）等にマウントして取り付けられる。
【００１５】
ユニット本体１の底板１ａ上には前面板１ｂから間隔をおいてコネクタ支持板２が前面板１ｂと平行に立設されている。コネクタ支持板２は光ファイバコード３同士の接続に使用するコネクタ４が縦横複数列に設けられ、コネクタ支持板２と左右側面板１ｄは同じ高さに形成されて連結している。
【００１６】
前面板１ｂはコネクタ４へ光ファイバコード３を前面から接続する際に邪魔にならないように、コネクタ支持板２に設けられた最下列のコネクタ４より低く形成され、上端がユニット本体１の内側方向に折曲形成され、この折曲部を切り欠いて複数の光ファイバコード３を集束状態に保持するためのフック状のコード保持部５が多数形成されている。尚、コード保持部５を打ち抜き加工により形成することで安価に製作できる。コネクタ４の前面側接続口４ａに接続された光ファイバコード３は例えば縦列毎に束ねてコード保持部５に保持している。また、前面板１ｂとコネクタ支持板２間の底板１ａは垂れ下がった光ファイバコード３を自重による破損から保護するためのコード受けスペース６であり、コード受けスペース６の左右端部の左右側面板は開口され、光ファイバコード３の入出線口１ｆとなっており、近傍にはコードクランプ７が配設されて光ファイバコード３を押さえて保持するようになっている。
【００１７】
背面板１ｃは光ファイバコード３が引き出せるようにコネクタ支持板２と左右側面板１ｄより低く形成されて左右側面板１ｄと連結しており、背面板１ｃの外面には中央の高さ方向に光ファイバ心線８を案内支持するためのガイド９が取り付けられ、ガイド９の左右両側の高さ方向に光ファイバ心線８の融着部と余長とを収納するための複数の融着トレイ１０が櫛歯状の取付具１１を介して前後方向にスライド可能に取り付けられている。
【００１８】
ガイド９を通ってきた光ファイバ心線８とコネクタ４の背面側接続口４ｂに接続した光ファイバコード３の光ファイバ心線は融着して融着部と余長を融着トレイ１０に収納し、光ファイバコード３の余長はコネクタ支持板２と左右側面板１ｄと背面板１ｃとで囲まれた余長収納スペース１２に収納する。
【００１９】
尚、本実施例においてユニット本体１の背面板１ｃに光ファイバ心線８を案内するためのガイド９を設けたが、図５に示すように光ケーブル１３のケーブル部１３ａを保持するためのケーブルクランプ１４と光ケーブル１３のテンションメンバ１３ｂを保持するためのテンションメンバクランプ１５を設けて光ケーブル１３を保持できるようにし、光ケーブル１３から光ファイバ心線８を引き出せるようにしても良く、スプライスユニットの構造について本発明の趣旨を逸脱しない範囲で適宜変更可能である。
【００２０】
【発明の効果】
以上説明したように、請求項１に記載の発明によれば、ラックにマウントして取り付けられ、光ファイバの接続部と余長とを収納するために底板の前後左右端縁に前面板と、背面板と、左右側面板を立設してトレイ状にユニット本体を構成したスプライスユニットにおいて、ユニット本体の背面板の外面に光ファイバ心線の融着部と余長とを収納するための融着トレイを取り付けたことにより、光ファイバ心線の収納スペースと光ファイバコードの収納スペースを分離し、各々独立して施工できるようにして施工性を向上すると共に、光ファイバ心線の破損を防止することができるという効果がある。
【００２１】
請求項２に記載の発明によれば、ラックにマウントして取り付けられ、光ファイバの接続部と余長とを収納するために底板の前後左右端縁に前面板と、背面板と、左右側面板を立設してトレイ状にユニット本体を構成したスプライスユニットにおいて、ユニット本体の前面板の上端を内側方向に折曲形成し、折曲部に複数の光ファイバコードを集束状態に保持するためのコード保持部を形成したことにより、光ファイバコードの整理が容易にできてメンテナンスの作業性が良くなるという効果がある。
【図面の簡単な説明】
【図１】本発明に係るスプライスユニットの平面図である。
【図２】本発明に係るスプライスユニットの正面図である。
【図３】本発明に係るスプライスユニットの右側面図である。
【図４】本発明に係るスプライスユニットの背面図である。
【図５】本発明に係るスプライスユニットの変形実施例である。
【符号の説明】
１…ユニット本体
１ａ…底板
１ｂ…前面板
１ｃ…背面板
１ｄ…左右側面板
２…コネクタ支持板
３…光ファイバコード
５…コード保持部
６…コード受けスペース
８…光ファイバ心線
１０…融着トレイ
１２…余長収納スペース
【図１】
2004198471.tif 000003
【図２】
2004198471.tif 000004
【図３】
2004198471.tif 000005
【図４】
2004198471.tif 000006
【図５】
2004198471.tif 000007